(57)【要約】【課題】低コストであり、且つ把手相互が確実に磁着できる把手付きる把手付き鞄を提供すること。【解決手段】鞄本体１の前後面に取り付けられた一対の把手３，３の握り手部３０、３０の少なくとも対向面側に、それぞれシート状の把手副資材４を離脱不能に取り付け、一方の握り手部３０と把手副資材４との間に磁石５を、他方の握り手部３０と把手副資材４との間に磁性金属６を、それぞれ介在させ、前記磁石５と磁性金属６との磁着力により握り手部３０，３０相互が一体化せしめられるようにしてある。【選択図】 図１
0003124667.tif 000002
【実用新案登録請求の範囲】
【請求項１】
鞄本体の前後面に取り付けられた一対の把手の握り手部の少なくとも対向面側に、それぞれシート状の把手副資材を離脱不能に取り付け、一方の握り手部と把手副資材との間に磁石を、他方の握り手部と把手副資材との間に磁性金属を、それぞれ介在させ、前記磁石と磁性金属との磁着力により握り手部相互が一体化せしめられるようにしてあることを特徴とする把手付き鞄。
【請求項２】
把手相互が磁着状態にあるときには、前記磁石と磁性金属とが平行又は略平行になっている部分を有していることを特徴とする請求項１記載の把手付き鞄。
【請求項３】
磁石及び磁性金属は、把手の握り手部の長さの３０〜１００％の長さに設定されていることを特徴とする請求項又は１又は２記載の把手付き鞄。
【請求項４】
把手は、金属、樹脂、ゴム、天然革、人工皮革又は木材で構成されていることを特徴とする請求項１乃至３のいずれかに記載の把手付き鞄。
【請求項５】
把手副資材は、天然革、人工皮革、ゴム、又は樹脂で構成されていることを特徴とする請求項４記載の把手付き鞄。
【考案の詳細な説明】
【技術分野】
【０００１】
この考案は、把手付き鞄に関するものである。
【背景技術】
【０００２】
把手付き鞄は、通常、鞄本体の前側面に一方の把手が、後側面に他方の把手が、それぞれ取り付けられており、手提げ時においては、片手で両方の把手を掴む。
【０００３】
ところで、近年、図７に示すように、非磁性金属で形成された一対の把手９０，９０のうち、一方側の上域中央部の平面部分に突起状の磁石９１を、他方側の上域中央部の平面部分に凹み状の磁性金属９２を、それぞれ配置した把手付き鞄９が、市場に出回るようになってきている。
【０００４】
上記把手付き鞄９では、磁石９１と磁性金属９２との磁着により、通常、両方の把手９０，９０相互が一体化した状態となっており、一対の把手を瞬時に掴むことができる。また、販売店で展示する際において、把手９０が垂れた状態になるのではなく、上記磁石９１と磁性金属９２との磁着により一体化しているので見栄えがよい。
【０００５】
しかしながら、上記把手付き鞄９は、マチ幅に適合するする把手を形成しなければならず、そうでない場合には、図８や図９に示すように、磁石９１と磁性金属９２とが密着せず、磁着力がほとんど働かなくなってしまう。したがって、鞄のマチ幅に適合する把手９０，９０をそれぞれ製作しなければならず、高コストとなってしまう。
【０００６】
したがって、鞄を取り扱う業者の間では、低コストであり、且つ確実に磁着できる把手付きる把手付き鞄が開発されることを待ち望んでいる。
【考案の開示】
【考案が解決しようとする課題】
【０００７】
そこで、この考案では、低コストであり、且つ把手相互が確実に磁着できる把手付きる把手付き鞄を提供することを課題とする。
【課題を解決するための手段】
【０００８】
（請求項１記載の考案）
この考案の把手付き鞄は、鞄本体の前後面に取り付けられた一対の把手の握り手部の少なくとも対向面側に、それぞれシート状の把手副資材を離脱不能に取り付け、一方の握り手部と把手副資材との間に磁石を、他方の握り手部と把手副資材との間に磁性金属を、それぞれ介在させ、前記磁石と磁性金属との磁着力により握り手部相互が一体化せしめられるようにしてある。
【０００９】
（請求項２記載の考案）
この考案の把手付き鞄は、上記請求項１記載の考案に関し、把手相互が磁着状態にあるときには、前記磁石と磁性金属とが平行又は略平行になっている部分を有している。
【００１０】
（請求項３記載の考案）
この考案の把手付き鞄は、上記請求項１又は２記載の考案に関し、磁石及び磁性金属は、把手の握り手部の長さの３０〜１００％の長さに設定されている。
【００１１】
（請求項４記載の考案）
この考案の把手付き鞄は、上記請求項１乃至３のいずれかに記載の考案に関し、把手は、金属、樹脂、ゴム、天然革、人工皮革又は木材で構成されている。
【００１２】
（請求項５記載の考案）
この考案の把手付き鞄は、上記請求項４記載の考案に関し、把手副資材は、天然革、人工皮革、ゴム、又は樹脂で構成されている。
【考案の効果】
【００１３】
この考案の把手付き鞄は、低コストであり、且つ把手相互が確実に磁着できることになる。
【考案を実施するための最良の形態】
【００１４】
以下にこの考案の把手付き鞄を実施するための最良の形態として実施例について詳しく説明する。
【実施例１】
【００１５】
図１はこの考案の実施例の把手付き鞄Ｂの側面図、図２はこの考案の実施例の把手付き鞄Ｂの部分斜視図を示している。
【００１６】
（この把手付き鞄Ｂの構成について）
この把手付き鞄Ｂは、図１や図２に示すように、鞄本体１と、前記鞄本体１における前後面に設けられた把手取付部２，２と，前記把手取付部２，２に取り付られている把手３，３を備えている。
【００１７】
鞄本体１は、図１や図２に示すように、上壁部１ａ及びマチ部１ｂ，１ｃの幅方向中央部分にファスナー１０を設けてあり、前記ファスナー１０を開状態にすることにより収容物の出し入れができるようにしてある。
【００１８】
把手取付部２，２は、図１や図２に示すように、人工皮革を筒状に形成して成るものであり、鞄本体１の上域中央部に縫着されている。
【００１９】
把手３，３は、図１や図２に示すように、長方形状の金属製枠体により構成されており、前記金属製枠体の下辺部分を上記把手取付部２に挿通させ、金属製枠体の上辺部分を握り手部３０としている。ここで、この実施例の把手付き鞄Ｂでは、図１や図２に示すように、一対の把手３の握り手部３０をそれぞれシート状の把手副資材４で形成（縫製）された円筒体で包囲するようにしてあり、一方の握り手部３０と把手副資材４との間に磁石５を、他方の握り手部３０と把手副資材４との間に磁性金属６を、それぞれ介在させてある。そして、前記磁石５と磁性金属６との磁着力により確実に握り手部３０，３０相互が一体化せしめられるようにするため、磁石５及び磁性金属６は、把手３の握り手部３０の長さの５０％（３０〜１００％の範囲であればよい）の長さに設定されていると共に、把手３，３の握り手部３０，３０相互が磁着状態にあるときには、前記磁石と磁性金属とが平行又は略平行になっている部分を有するものとしてある。
【００２０】
（この把手付き鞄Ｂの優れた点について）
(1)  低コストであり、且つ把手相互が確実に磁着できること。
【００２１】
従来の把手付き鞄では、マチ幅に適合するする把手を形成しなければ、磁石と磁性金属とが密着せず、磁着力がほとんど働かなくなってしまう。したがって、鞄のマチ幅に適合する把手の成形型をそれぞれ製作しなければならず、その結果、高コストとなってしまう。
【００２２】
これに対して、この実施例の把手付き鞄Bでは、一対の把手３の握り手部３０をそれぞれシート状の把手副資材４で形成（縫製）された円筒体で包囲するようにしてあり、一方の握り手部３０と把手副資材４との間に磁石５を、他方の握り手部３０と把手副資材４との間に磁性金属６を、それぞれ介在させる構成としてある。したがって、把手３，３の握り手部３０，３０相互が磁着状態となるときに、前記磁石５と磁性金属６とができるだけ多くの部分で平行又は略平行となるべく、磁石５と磁性金属６の形状及び配置を設定（図1、図３、図４参照）すればば、低コストであり、且つ把手相互が確実に磁着できる把手付き鞄Bができる。
【００２３】
(2)  磁石や磁性金属に傷がつかず、磁石や磁性金属により把手等を傷つけない。
【００２４】
従来の把手付き鞄では、磁石や磁性金属が剥き出しになっている。したがって、磁石と磁性金属との衝突により両者に傷付いてしまったり、また磁石や磁性金属との衝突により把手等に傷がついてしまう危険性が非常に高い。つまり、従来の把手付き鞄では、鞄構成物同士の衝突による商品価値の低下を招くおそれが高い。
【００２５】
これに対して、この実施例の把手付き鞄Bでは、この実施例の把手付き鞄Bでは、一対の把手３の握り手部３０をそれぞれシート状の把手副資材６で形成（縫製）された円筒体で包囲するようにしてあり、一方の握り手部３０と把手副資材４との間に磁石５を、他方の握り手部３０と把手副資材４との間に磁性金属６を、それぞれ介在させる構成としてある。したがって、磁石と５と磁性金属６とは把手副資材６を介しての衝突となり、前記磁石５や磁性金属６に傷がつくようなことがなく、また、把手等に傷がついてしまう可能性はないものとなる。つまり、この実施例の把手付き鞄Bでは、鞄構成物同士の衝突により商品価値の低下を招く恐れは極めて低い。
【００２６】
(3)  持ち手や身体／他人を傷付けることがない。
【００２７】
この実施例の把手付き鞄B では、(2)で述べたことと同様に、磁石5や磁性金属6が持ち手や身体／他人に直接接触することはないので、これらを傷付けるようなことはない。
【００２８】
（その他の把手付き鞄Ｂの実施の形態について）
上記実施例では、左右の把手３，３を隣合わせて鞄を持つ形態としているが、この実施の形態では、図５に示すように、上下方向に重ねる態様で鞄を持つ形態としている。その他の形態については上記のものと全く同様である。この場合においても、上記(1)〜(3)に記載の優れた点を有していることが明らかである。
【００２９】
その他の実施の形態としては、図６に示すように、人工皮革で形成された把手３，３の握り手部３０，３０の対向面のうち一方に薄板状の磁石５を、他方に薄板状の磁性金属６を、それぞれ添設し、その状態でシート状の把手副資材４を巻き付けてなるものである。この形態においても、上記(1)〜(3)に記載の優れた点を有していることが明らかである。
【００３０】
（この把手付き鞄Ｂを構成する部材について） 
把手副資材４としては、天然革、人口皮革、ゴム、樹脂等が採用できる、把手３としては、金属、樹脂、ゴム、天然革、人工皮革又は木材等が採用でき、これらを適宜組み合わせたものとすることができる。
【図面の簡単な説明】
【００３１】
【図１】この考案の実施例の把手付き鞄（中のマチ幅）の側面図。
【図２】この考案の実施例の把手付き鞄の部分斜視図。
【図３】この考案の実施例の把手付き鞄（小のマチ幅）の側面図。
【図４】この考案の実施例の把手付き鞄（大のマチ幅）の側面図。
【図５】この考案の他の実施形態１の説明図。
【図６】この考案の他の実施形態２の説明図。
【図７】従来の把手付き鞄（中のマチ幅）の側面図。
【図８】図７の把手付き鞄について小のマチ幅とした場合の側面図。
【図９】図７の把手付き鞄について大のマチ幅とした場合の側面図。
【符号の説明】
【００３２】
１      鞄本体
１０    ファスナー
２      把手取付部
３      把手  
３０    握り手部
４      把手副資材
５      磁紐
６      磁性金属
【図１】
0003124667.tif 000003
【図２】
0003124667.tif 000004
【図３】
0003124667.tif 000005
【図４】
0003124667.tif 000006
【図５】
0003124667.tif 000007
【図６】
0003124667.tif 000008
【図７】
0003124667.tif 000009
【図８】
0003124667.tif 000010
【図９】
0003124667.tif 000011